【手続補正書】
【提出日】平成20年8月8日(2008.8.8)
【手続補正１】
【補正対象書類名】明細書
【補正対象項目名】特許請求の範囲
【補正方法】変更
【補正の内容】
【特許請求の範囲】
【請求項１】記録媒体に対してインクを吐出する記録ヘッドと、前記記録ヘッドを搭載し、前記記録媒体の搬送方向に対して直交する主走査方向に沿って往復移動可能なキャリッジと、前記キャリッジを前記主走査方向に沿って移動させるキャリッジ駆動手段と、を有し、前記キャリッジを往復移動させるとともに前記記録ヘッドからインクを吐出させることで前記記録媒体に対して画像記録を行う記録装置において、前記キャリッジ駆動手段は、前記キャリッジの往路移動の際の周期的な前記キャリッジの速度変動と、前記キャリッジの復路移動の際の周期的な前記キャリッジの速度変動との位相がずれるように前記キャリッジを往復移動させることを特徴とする画像記録装置。
【請求項２】前記キャリッジが復路移動されるときのキャリッジの速度変動の位相は、前記キャリッジが往路移動するときの速度変動の位相に対して、πラジアンの奇数倍ずらされることを特徴とする請求項１記載の画像記録装置。
【請求項３】前記キャリッジは、前記記録媒体に対して画像を記録する領域である画像記録領域中において、往路時の速度と復路時の速度との和が、基準速度の倍になるように駆動されることを特徴とする請求項２記載の画像記録装置。
【請求項４】前記キャリッジ駆動手段は、一対のプーリーと、前記プーリーの少なくとも一方に駆動力を提供するためのモータと、前記プーリー間に掛け渡された無端ベルトと、を有し、前記キャリッジは、前記無端ベルトに対して前記主走査方向に沿って相対的に移動可能となるよう保持されるものであって、前記キャリッジは、往路移動するときの前記主走査方向に沿った無端ベルト上の位置と、復路移動するときの前記主走査方向に沿った無端ベルト上の位置とが、前記キャリッジの速度変動の１周期の整数倍の時間で前記キャリッジが移動される距離以外の距離だけずれるように移動されることを特徴とする請求項１記載の画像記録装置。
【請求項５】往復路の前記キャリッジの無端ベルト上の位置の差は、前記キャリッジの速度変動の１／２周期の奇数倍に相当する時間で前記キャリッジが移動される距離であることを特徴とする請求項４記載の画像記録装置。
【請求項６】前記キャリッジ駆動手段は、一対のプーリーと、前記プーリーの少なくとも一方に駆動力を提供するためのモータと、前記プーリー間に掛け渡された無端ベルトと、前記モータと当該モータの駆動力が伝達されるプーリーとの間に設けられ、前記モータの駆動力を選択的にプーリーに伝達するクラッチと、前記クラッチのon/offを制御するクラッチ制御手段と、前記モータと前記プーリーとの相対的な回転量の差を検出する回転差検出手段と、を有し、前記クラッチ制御手段は、前記キャリッジが画像記録領域以外の領域である反転領域中に在るとき、前記クラッチをoffし、前記回転差検出手段が、前記クラッチをoffしてから、前記モータと前記プーリーとの相対的な回転量の差が発生したことを検出したときに、前記クラッチをonするように、前記クラッチを制御することを特徴とする請求項１記載の画像記録装置。
【請求項７】前記回転差検出手段が検出する回転量の差は、１／２回転であることを特徴とする請求項６記載の画像記録装置。
【請求項８】前記回転差検出手段は、モータ回転検出手段を有しており、前記クラッチ制御手段は、前記キャリッジが画像記録領域以外の領域である反転領域中において停止した際に、前記クラッチをoffし、前記モータ回転検出手段が、前記クラッチをoffしてから前記モータが１／２回転したことを検出した際に、前記クラッチをonするように、前記クラッチを制御することを特徴とする請求項７記載の画像記録装置。
【請求項９】前記キャリッジ駆動手段は、一対のプーリーと、前記プーリーの少なくとも一方に駆動力を提供するためのモータと、前記プーリー間に掛け渡された無端ベルトと、前記モータと当該モータの駆動力が伝達されるプーリーとの間に設けられ、前記モータの駆動力を選択的にプーリーに伝達するクラッチと、前記クラッチのon/offを制御するクラッチ制御手段と、前記モータの回転量を検出するモータ回転検出手段と、前記主走査方向に沿った前記キャリッジの位置を検出する位置検出手段と、を有し、前記クラッチ制御手段は、前記キャリッジが画像記録領域以外の領域である反転領域中に在るとき、クラッチをoffし、モータ回転検出手段によって検出される前記クラッチをoffした時点からのモータの回転量に相当するキャリッジの移動距離と、前記クラッチをoffした時点からの前記位置検出手段によって検出されたキャリッジの移動距離との差が、前記キャリッジの速度変動の１／２周期で前記キャリッジが移動される距離の奇数倍の距離になった際にクラッチをonするように制御することを特徴とする請求項２記載の画像記録装置。
【請求項１０】前記キャリッジ駆動手段は、一対のプーリーと、前記プーリーの少なくとも一方に駆動力を提供するためのモータと、前記プーリー間に掛け渡された無端ベルトと、前記モータと当該モータの駆動力が伝達されるプーリーとの間に設けられ、前記モータの駆動力を選択的にプーリーに伝達するクラッチと、前記クラッチのon/offを制御するクラッチ制御手段と、前記クラッチのoffされている間の時間を計測するタイマーと、画像記録領域以外の領域である反転領域中において、前記プーリーの回転量と、前記モータの回転量との差が、１／２回転の奇数倍の回転量になる時間が予め記憶されているメモリーと、を有し、前記クラッチ制御手段は、前記キャリッジが前記反転領域に在るとき、前記クラッチをoffするとともに前記タイマーの計測を開始し、前記タイマーによって計測した時間が、前記メモリーに設定された時間に達したときに、前記クラッチをonするように、前記クラッチを制御することを特徴とする請求項２記載の画像記録装置。
【請求項１１】記録媒体に対してインクを吐出する記録ヘッドと、前記記録ヘッドを搭載し、前記記録媒体の搬送方向に対して直交する主走査方向に沿って往復移動可能なキャリッジと、前記キャリッジを前記主走査方向に沿って移動させるキャリッジ駆動手段と、を有し、前記キャリッジを往復移動させ、往路と復路との少なくとも一方において、前記記録ヘッドからインクを吐出させることで前記記録媒体に対して画像記録を行う記録装置において、マルチパス印字モードにおけるパス数をＸとした場合、先のキャリッジ移動時の速度変動の位相に対して、次のキャリッジ移動時のキャリッジの速度変動の位相が１／Ｘ・２πラジアンずれるように前記キャリッジを移動させることを特徴とする画像記録装置。
【請求項１２】記録媒体に対してインクを吐出し、記録媒体の搬送方向に沿って搭載されている複数の記録ヘッドと、前記記録ヘッドを搭載し、前記記録媒体の搬送方向に対して直交する主走査方向に沿って往復移動可能なキャリッジと、前記キャリッジを前記主走査方向に沿って移動させるキャリッジ駆動手段と、を有し、前記キャリッジを移動させるとともに前記記録ヘッドからインクを吐出させることで前記記録媒体に対して画像記録を行う記録装置において、前記複数の記録ヘッドは、互いに隣接する記録ヘッドとの主走査方向における間隔が、前記キャリッジの速度変動の１周期の間に移動する距離の整数倍に相当する距離以外の距離になるように配置されていることを特徴とする画像記録装置。
【請求項１３】前記複数の記録ヘッドは、前記主走査方向に沿った方向において、それぞれ隣接する記録ヘッドとの間隔が、前記キャリッジの速度変動の１／２周期の間で移動する距離の奇数倍に相当する距離になるように配置されることを特徴とする請求項１２記載の画像記録装置。
【請求項１４】同じ色のインクを吐出する２つの記録ヘッドと、前記２つの記録ヘッドを主走査方向に沿って配列して保持すると共に、前記主走査方向に沿って往復可能なキャリッジと、前記キャリッジを前記主走査方向に沿って移動させるキャリッジ駆動手段と、を有し、前記キャリッジを往路移動させるときには、一方の記録ヘッドからインクを吐出して画像の記録を行い、前記キャリッジの復路移動させるときには、他方の記録ヘッドからインクを吐出して画像の記録を行う画像記録装置において、前記２つの記録ヘッドは、互いの配列間隔を前記キャリッジの速度変動の略１／２周期の間に移動する距離の奇数倍に相当する距離になるように、前記キャリッジ上に配置されていることを特徴とする画像記録装置。